(57)【要約】【課題】複数のカラムで構成されたグラフィックユーザインターフェースを提供する装置及び方法を提供する。【解決手段】自分の好みに合うカラムの選択順序によって選択された対象機器でコンテンツに対する作業を行うように、グラフィックユーザインターフェースを提供する装置及び方法である。グラフィックユーザインターフェース上にある複数のカラムのうち少なくとも一つのカラムの項目を選択するためのセレクターの移動命令または選択命令を受信する命令受信部と、前記選択されたカラムの項目によって他のカラムの項目に対する活性化如何を決定する判断部と、前記活性化されたカラムの項目を、前記グラフィックユーザインターフェースを利用して出力するディスプレイ部と、出力された前記活性化されたカラムの項目選択に従って命令メッセージを伝達する送受信部と、を備える。【選択図】図４
2006190267.tif 000002
【特許請求の範囲】
【請求項１】
グラフィックユーザインターフェース上にある複数のカラムのうち少なくとも一つのカラムの項目を選択するためのセレクターの移動命令または選択命令を受信する命令受信部と、
前記選択されたカラムの項目によって他のカラムの項目に対する活性化如何を決定する判断部と、
前記活性化されたカラムの項目を、前記グラフィックユーザインターフェースを利用して出力するディスプレイ部と、
出力された前記活性化されたカラムの項目選択に従って命令メッセージを伝達する送受信部と、を備えることを特徴とする複数のカラムで構成されたグラフィックユーザインターフェースを提供する装置。
【請求項２】
前記カラムは、作業命令、コンテンツ種類及び対象機器のうち少なくとも一つを含むことを特徴とする請求項１に記載の複数のカラムで構成されたグラフィックユーザインターフェースを提供する装置。
【請求項３】
前記カラムは、ホームネットワーク上で対象機器が参加または脱退することによって、前記作業命令、コンテンツ種類及び対象機器のうち少なくとも一つのカラムに対して項目が追加または削除されることを特徴とする請求項２に記載の複数のカラムで構成されたグラフィックユーザインターフェースを提供する装置。
【請求項４】
前記判断部は、各カラムの項目の特性によって他のカラムの項目がマッチングされて予め保存されたテーブルを利用して、前記他のカラムの項目に対する活性化如何を決定することを特徴とする請求項１に記載の複数のカラムで構成されたグラフィックユーザインターフェースを提供する装置。
【請求項５】
前記命令メッセージは、作業命令、コンテンツ種類、ソース機器、対象機器、対象コンテンツの位置、対象コンテンツのリストのうち少なくとも一つを含むことを特徴とする請求項１に記載の複数のカラムで構成されたグラフィックユーザインターフェースを提供する装置。
【請求項６】
前記命令メッセージは、ホームネットワーク上にブロードキャストされたメッセージとして前記命令メッセージを受信した該当ソース機器または対象機器により、前記コンテンツ種類に対する前記作業命令が行われることを特徴とする請求項５に記載の複数のカラムで構成されたグラフィックユーザインターフェースを提供する装置。
【請求項７】
グラフィックユーザインターフェース上にある複数のカラムのうち少なくとも一つのカラムの項目を選択するためのセレクターの移動命令または選択命令を受信するステップと、
前記選択されたカラムの項目によって他のカラムの項目に対する活性化如何を決定するステップと、
前記活性化されたカラムの項目を前記グラフィックユーザインターフェースを利用して出力するステップと、
出力された前記活性化されたカラムの項目選択に従って命令メッセージを伝達するステップと、を含むことを特徴とする複数のカラムで構成されたグラフィックユーザインターフェースを提供する方法。
【請求項８】
前記カラムは、作業命令、コンテンツ種類及び対象機器のうち少なくとも一つを含むことを特徴とする請求項７に記載の複数のカラムで構成されたグラフィックユーザインターフェースを提供する方法。
【請求項９】
前記カラムは、ホームネットワーク上で対象機器が参加または脱退することによって、前記作業命令、コンテンツ種類及び対象機器のうち少なくとも一つのカラムに対して項目が追加または削除されることを特徴とする請求項８に記載の複数のカラムで構成されたグラフィックユーザインターフェースを提供する方法。
【請求項１０】
前記活性化如何を決定するステップは、各カラムの項目の特性によって他のカラムの項目がマッチングされて予め保存されたテーブルを利用して、前記他のカラムの項目に対する活性化如何を決定するステップであることを特徴とする請求項７に記載の複数のカラムで構成されたグラフィックユーザインターフェースを提供する方法。
【請求項１１】
前記命令メッセージは、作業命令、コンテンツ種類、ソース機器、対象機器、対象コンテンツの位置、対象コンテンツのリストのうち少なくとも一つを含むことを特徴とする請求項７に記載の複数のカラムで構成されたグラフィックユーザインターフェースを提供する方法。
【請求項１２】
前記命令メッセージは、ホームネットワーク上にブロードキャストされたメッセージとして前記命令メッセージを受信した該当ソース機器または対象機器により、前記コンテンツ種類に対する前記作業命令が行われることを特徴とする請求項１１に記載の複数のカラムで構成されたグラフィックユーザインターフェースを提供する方法。
【発明の詳細な説明】
【技術分野】
【０００１】
本発明は、複数のカラムで構成されたグラフィックユーザインターフェースを提供する装置及び方法に係り、より詳細には、ユーザが、作業命令、コンテンツ種類及び対象機器で構成されたグラフィックユーザインターフェースを利用して、自分の好みに合うカラムの選択順序によって選択された対象機器でコンテンツについての作業を行わせるように、複数のカラムで構成されたグラフィックユーザインターフェースを提供する装置及び方法に関する。
【背景技術】
【０００２】
過去、特定部類のみに限定されたインターネットがウェブの具現を通じて広く広がりながら、デジタル産業の全般に多くの影響を及ぼした。インターネットを基盤とするサービス、及びインターネットを通じて流通されるコンテンツは、２１世紀デジタル産業の尺度になっている。これにより、インターネットの超高速化、及び携帯電話、ＰＤＡ、ノートブックなどを通じたコンテンツのマルチメディア化につれて、マルチメディアはもう選択ではない必須事項として位置を占めるようになった。
【０００３】
一方、コンピュータを基盤にした情報通信の概念は、ユビキタス（Ｐｅｒｓｏｎａｌ Ｃｏｍｐｕｔｅｒ、ＰＣ）という概念に変化している。ユビキタスは、いつでもどこでも存在するという意味のラテン語であり、ユーザがネットワークやコンピュータを意識せず、また場所に拘らずに自由にネットワークに接続できる情報通信環境を意味する。
【０００４】
図１は、デジタル情報家電の進化を示している。１９８０年代はコンピュータネットワーク時代であって、パソコンとノート型パソコン、メインフレームコンピュータとワークステーションなどがネットワークを通じて情報を交換した。これは、研究所、または事務室などその使用領域が限定された。
【０００５】
しかし、１９９０年代に入り、インターネットが成長するようになった。それにより、ホームステーションについての関心が少しずつ台頭し、また、研究所と事務室に限定されたインターネットが個人と家庭にも入るようになった。
【０００６】
２０００年代に入ってからは、無線ネットワークの発展がめだっており、また、有線ネットワークの伝送速度は急に成長するようになった。その結果、前述したように大容量のマルチメディアコンテンツの流通が本格化しており、デジタル放送についての研究が活発に進んでいる。また、一部のサービスは商用化に至っている。一方、多くの家電機器も、ユビキタスの概念下で情報家電に変化しつつある。デジタル情報はコンピュータやワークステーションを通じてのみならず、デジタルＴＶ、携帯電話、画像電話機、スマートホンを通じても送受信でき、冷蔵庫と電子レンジ、クーラーのような家電機器同士でも、ホームネットワークとユビキタスの概念下でデジタル情報の送受信が可能になった。
【０００７】
図２は、従来の機器中心のホームネットワークユーザインターフェースを示す図面である。
【０００８】
ユーザは、ホームネットワーク上の作業を行う場合、機器に重点をおいて作業を行うことができる。すなわち、ユーザが所望の作業対象の機器をまず選択した後、対象機器に命令を下すか、または対象機器が持っているメディアソースを活用することである。この場合に、ユーザは、図面のように羅列された機器のリストのうち一つを選択することによって、現れる対象機器の機能を確認して自分の所望の作業を行わせる。
【０００９】
これは、ユーザが対象機器の状態及び機能をいずれも知っているということを仮定したものであるが、例えば、ＴＶを見たりクーラーを操作して室内温度を調節しようとする場合に該当する。
【００１０】
しかし、ホームネットワークを構成する機器が多様になるにつれて、ユーザはあらゆる機器の状態及び機能をいずれも把握し難く、例えば、漠然と室内の温度を調節しようとする場合、ユーザは、クーラーを操作するべきか、またはヒーターを操作するべきかが分からない場合もある。また、所望の音楽を聞こうとする場合、対象コンテンツがいかなる機器に接続されているか知らない場合にも、機器中心のホームネットワークユーザインターフェースは、ユーザに望ましい結果を提供できない。
【００１１】
図３は、従来のコンテンツ中心のホームネットワークユーザインターフェースを示す図面である。
【００１２】
ユーザは、ホームネットワーク上の作業を行う場合、コンテンツに重点をおいて作業を行うことができる。すなわち、ユーザが所望の作業対象のコンテンツをまず選択した後に、対象コンテンツを動作させる対象機器を確認し、それを利用して対象コンテンツを動作させることである。この場合に、ユーザは、羅列されたコンテンツのリスト中一つを選択することによって現れる対象機器を利用して、自分の所望の作業を行わせる。
【００１３】
これは、対象機器に対する対象コンテンツの動作が一次元的に単純な場合にのみ該当するが、例えば、オーディオ機器を利用して音楽コンテンツを再生させるか、ＴＶを利用して空中波放送を視聴する場合に該当する。
【００１４】
しかし、ホームネットワークを構成する機器の機能が多様になり、ユーザは、一つのコンテンツに対しても多様な作業を行うようになったが、例えば、静止画像コンテンツに対して、画面表示、コピー、編集及び印刷などの多様な作業を適用できる。
【００１５】
このように、ホームネットワークの発展と共にその使用方法も複雑になっているが、ホームネットワーク機器、コンテンツの種類及び作業命令いずれも考慮されていない従来の方法では、ユーザが自分の所望の結果を容易に得難い。
【００１６】
韓国特許出願公開第1999-086325号明細書（引用文献１）は、ホームネットワークにつながったデバイスをユーザーの作業別、用途別、機能別などで望むグループ別にグルーピングするようにした方法が開示されている。しかし、これは単にユーザーの趣向によるグルーピングに過ぎなくて、実際にユーザーが特定項目を選択した場合、それに係わったほかのグループの項目を確認することはできない。
【００１７】
従って、複数個の項目を含める複数個のグループで、ユーザーが特定グループに含まれた特定項目を選択した場合、残ったグループに含まれた関連項目だけをデイスプレーする方法の登場が要求される。
【特許文献１】韓国特許出願公開第1999-086325号明細書
【発明の開示】
【発明が解決しようとする課題】
【００１８】
本発明は、複数の並列的なグラフィックユーザインターフェースを提供することによって、ユーザが、自分の好みに合う順序で所望の結果を得るようにするところにその目的がある。
【００１９】
また、本発明は、各カラムの項目選択に従い、他のカラムの選択可能な項目を表示することによって、ユーザが、特定カラムの項目に対する他のカラムの項目を記憶せずとも所望の結果を得るようにするところにその目的がある。
【００２０】
本発明の目的は、以上で言及した目的に制限されず、言及されていない他の目的は以下の記載から当業者に明確に理解されうる。
【課題を解決するための手段】
【００２１】
前記目的を達成するために、本発明の実施形態による複数のカラムで構成されたグラフィックユーザインターフェースを提供する装置は、グラフィックユーザインターフェース上にある複数のカラムのうち少なくとも一つのカラムの項目を選択するためのセレクターの移動命令または選択命令を受信する命令受信部と、前記選択されたカラムの項目によって他のカラムの項目に対する活性化如何を決定する判断部と、前記活性化されたカラムの項目を、前記グラフィックユーザインターフェースを利用して出力するディスプレイ部と、出力された前記活性化されたカラムの項目選択に従って命令メッセージを伝達する送受信部と、を備える。
【００２２】
本発明の実施形態による複数のカラムで構成されたグラフィックユーザインターフェースを提供する方法は、グラフィックユーザインターフェース上にある複数のカラムのうち少なくとも一つのカラムの項目を選択するためのセレクターの移動命令または選択命令を受信するステップと、前記選択されたカラムの項目によって他のカラムの項目に対する活性化如何を決定するステップと、前記活性化されたカラムの項目を前記グラフィックユーザインターフェースを利用して出力するステップと、出力された前記活性化されたカラムの項目選択に従って命令メッセージを伝達するステップと、を含む。
【００２３】
その他の実施例の具体的な事項は詳細な説明及び図面に含まれている。
【発明の効果】
【００２４】
本発明の複数のカラムで構成されたグラフィックユーザインターフェースを提供する装置及び方法によれば、次のような効果が一つあるいはそれ以上ある。
【００２５】
第１に、複数の並列的なグラフィックユーザインターフェースを提供することによって、ユーザが、自分の好みに合う順序で所望の結果を簡便に得るようにする長所がある。
【００２６】
第２に、各カラムの項目選択に従い、他のカラムの選択可能な項目を表示することによって、ユーザが、特定カラムの項目に対する他のカラムの項目を記憶しなくても所望の結果を得るようにする長所もある。
【発明を実施するための最良の形態】
【００２７】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００２８】
以下、添付された図面を参照して本発明の望ましい実施形態を詳細に説明する。
【００２９】
図４は、本発明の実施形態による複数のカラムで構成されたグラフィックユーザインターフェースを提供する装置を示すブロック図である。
【００３０】
複数のカラムで構成されたグラフィックユーザインターフェースを提供するホームネットワーク装置は、保存部４１０、命令受信部４２０、判断部４３０、ディスプレイ部４４０及び送受信部４５０を備えて構成される。
【００３１】
命令受信部４２０は、グラフィックユーザインターフェース上にある複数のカラムのうち一つのカラムの項目を選択するためのセレクターの移動命令及び選択命令を受信する役割を行う。
【００３２】
ここで、カラムは、作業命令、コンテンツ種類、対象機器及び大きさのうち少なくとも一つを含むが、各カラムには一つ以上の項目が含まれる。
【００３３】
例えば、作業命令には視聴（ｗａｔｃｈ）、聴取（ｌｉｓｔｅｎ）、ビュー（ｖｉｅｗ）、コピー（ｃｏｐｙ）、印刷（ｐｒｉｎｔ）、スライドショー（ｓｌｉｄｅ ｓｈｏｗ）、増加及び減少などが含まれ、コンテンツ種類には動画（ｍｏｖｉｅ）、音楽（ｍｕｓｉｃ）、写真（ｐｈｏｔｏ）、温度及び照明などが含まれ、そして、対象機器には、居間ＴＶ、寝室ＴＶ、ＰＤＡ、ＰＣ、ＣＤプレーヤー、ＤＶＤプレーヤー、オーディオ機器、クーラー及びヒーターなどが含まれうる。
【００３４】
また、セレクターは、ユーザの移動命令によってカラムの項目に対するフォーカシング（focusing）を行うカーソルに該当する。
【００３５】
ユーザが、リモコンまたはキーパッドに備わっている方向ボタンまたはジョッグシャトルなどを利用して、有線または無線でセレクターの移動命令を伝送すれば、命令受信部４２０は、それを受信して判断部４３０に伝達する。
【００３６】
判断部４３０は、選択されたカラムの項目によって、他のカラムの項目に対する活性化如何を決定し、送受信部４５０を通じて選択されたカラムの項目に従って命令メッセージを送信する役割を行う。
【００３７】
ユーザは、リモコンまたはキーパッドなどを利用してカラムの項目を選択できるが、この時、カラムの順序に関係なく選択できる。換言すれば、作業命令、コンテンツ種類及び対象機器で構成されたカラムのうち、いかなる項目をまず選択してもよい。
【００３８】
もし、作業命令の項目が最初に選択されれば、判断部４３０は、選択された項目の特性に合うコンテンツ種類及び対象機器の項目に対する活性化如何を判断する。
【００３９】
例えば、作業命令の視聴が選択されれば、視聴に関するコンテンツ種類は動画であるためにコンテンツ種類の他の項目は非活性化され、動画項目のみ活性化される。また、視聴に関する対象機器は、居間ＴＶ、寝室ＴＶ、ＰＤＡ及びＤＶＤプレーヤーであるためにそれらのみ活性化され、他の対象機器に対する項目は非活性化される。
【００４０】
判断部４３０は、項目の活性化如何を決定するために、各カラムの項目の特性によって他のカラムの項目がマッチングされて予め保存されたテーブルを利用することもでき、予め設定された所定のアルゴリズムを利用して他のカラムの項目に対する活性化如何を決定することもできる。
【００４１】
また、判断部４３０は、送受信部４５０から伝達された対象機器の状態を受信して、項目の活性化如何、及び命令メッセージ伝送に反映することもできる。換言すれば、特定対象機器が現在動作中である場合に項目を非活性化するか、または動作中であることを表示でき、選択された作業命令またはコンテンツの種類によって、対象機器の活性化なしに直ちに対象機器に命令メッセージを伝送することができる。例えば、ユーザが室内の温度を高くしようとする場合、判断部４３０は、クーラー及びヒーターの状態を受信して、設定された温度に合わせてクーラーまたはヒーターに対する作業命令を伝送することができる。
【００４２】
保存部４１０は、各カラムの項目の特性によって他のカラムの項目がマッチングされたテーブルを保存する役割を行う。
【００４３】
各カラムの項目間のマッチングされたテーブルを作成するために、ユーザは、一つのカラムに対する項目が追加される度に、それに対する他のカラムの項目をマッチングして保存できる。また、カラムの項目が追加される度に、本発明の装置は、各対象機器から、各対象機器が提供する作業命令及びコンテンツ種類についての情報を収集して、テーブルを作成してそれを保存することもできる。
【００４４】
そして、判断部４３０は、予め設定された所定のアルゴリズムによってカラムの項目活性化如何を決定するために、各対象機器から収集された作業命令及びコンテンツ種類についての情報を利用することが望ましい。
【００４５】
ディスプレイ部４４０は、活性化されたカラムの項目をグラフィックユーザインターフェースを利用して出力する役割を行う。
【００４６】
カラムの項目は、カラム別に分離されて画面に出力されることが望ましく、あらゆる項目が画面に出力されない場合、スクロールバーによって一定項目のみを画面に表示し、残りの項目はユーザによって選択的に表示させることが望ましい。
【００４７】
カラムの項目が選択された場合、選択された項目と関連した他のカラムの項目が活性化されるが、この時、活性化される他のカラムの項目は活性化され、残りの項目は非活性化されて、セレクターにより選択されないようにすることが望ましい。
【００４８】
また、カラムの項目が選択された場合、選択された項目と関連した他のカラムの項目のみを画面に表示して残りの項目を画面から除去することによって、さらに簡単な画面構成をユーザに提供することもできる。
【００４９】
送受信部４５０は対象機器状態などを受信し、対象機器に選択されたコンテンツ種類に対する選択された作業命令を伝達する役割を行う。
【００５０】
したがって、送受信部４５０によって対象機器に伝えられる情報には、対象機器、コンテンツ種類及び作業命令などが含まれることが望ましい。
【００５１】
送受信部４５０により伝送される命令メッセージは、ユニキャストまたはブロードキャストされて対象機器に伝達されうるが、ブロードキャストされる場合、送受信部４５０により伝えられた命令メッセージには、目的地ホストに対象機器を明示しているので、ホームネットワーク上の対象機器はブロードキャストされた命令メッセージを受信して、自身の命令メッセージであれば含まれたコンテンツ種類に対する作業命令を行い、自身の命令メッセージではなければ無視する。
【００５２】
また、対象機器が伝送する情報メッセージも、ユニキャストまたはブロードキャストされて送受信部４５０に伝達されうるが、ブロードキャストされる場合、対象機器により伝えられた情報メッセージには、目的地ホストに本発明の装置を明示しているので、送受信部４５０は、ブロードキャストされた情報メッセージを受信して判断部４３０に伝達できる。
【００５３】
参考的に、本発明の実施形態による複数のカラムで構成されたグラフィックユーザインターフェースを提供する装置は、判断部４３０及び送受信部４５０だけで構成されることもあり、他の構成要素による動作は、有線または無線情報の交換により具現できる。
【００５４】
図５は、本発明の実施形態による複数のカラムで構成されたグラフィックユーザインターフェースを提供する過程を示すフローチャートである。
【００５５】
命令受信部４２０がセレクターの移動命令を受信すれば（Ｓ５１０）、セレクターは、カラム間またはカラムの項目間を移動する（Ｓ５２０）。そのうち、命令受信部４２０が選択命令を受信すれば（Ｓ５３０）、セレクターが現在フォーカシングしているカラムの項目に関連した他のカラムの項目に対する活性化如何が、判断部４３０により決定されて画面に出力される（Ｓ５４０）。
【００５６】
判断部４３０は、保存部４１０によって予め保存されたカラムの項目間のマッチングされたテーブルを利用して、関連した他のカラムの項目に対する活性化如何を決定することもでき、選択命令の受信時に各対象機器から収集された作業命令及びコンテンツ種類についての情報を利用して、他のカラムの項目に対する活性化如何を決定することもできる。
【００５７】
ユーザは、活性化された残りのカラムの項目のうち自分の所望の項目を選択でき、その時、最初に選択したカラムではない残りのカラムの項目に対する活性化如何が、判断部４３０により再び決定されて画面に出力される（Ｓ５４０）。
【００５８】
このような過程は、あらゆるカラムに対する項目が選択されるまで進み、あらゆるカラムに対する項目が選択されれば（Ｓ５５０）、それに対する命令メッセージが対象機器に伝えられ（Ｓ５６０）、対象機器は、伝達されたコンテンツ種類に対する作業命令を行う（Ｓ５７０）。
【００５９】
図６は、本発明の実施形態による項目選択に従って対象機器に伝えられる命令メッセージを示す図面である。
【００６０】
対象機器に伝えられる情報には、作業命令、コンテンツ種類及び対象機器の選択された項目と対象コンテンツのリストが含まれることが望ましい。
【００６１】
また、一つの機器に保存されているコンテンツを他の機器を通じて視聴しようとする場合、または一つの機器に保存されているコンテンツを他の機器にコピーする場合のために、データフォーマットにソース機器をさらに含むことが望ましい。
【００６２】
そして、対象コンテンツのリストには、コンテンツの保存位置及びコンテンツの題目などが含まれるが、コンテンツの題目は、ハードウェア的なアドレスに代替されることもある。ここで、コンテンツの保存位置は、特定対象機器を表すこともあり、特定対象機器の特定保存位置を表すこともある。
【００６３】
命令メッセージは、ホームネットワーク上にユニキャストまたはブロードキャストされて伝送できるが、ブロードキャストされる場合、ソース機器及び対象機器はネットワーク上に存在するあらゆる命令メッセージを受信して、ソース機器または対象機器フィールドに自身を示す情報が含まれているかどうかを確認する。そして、もし、自身を示す情報が含まれていれば、命令メッセージに含まれたコンテンツ種類に対する作業命令を行い、自身を示す情報が含まれていなければ、メッセージを無視する。
【００６４】
図７は、本発明の実施形態による複数のカラムで構成されたグラフィックユーザインターフェースを示す図面である。
【００６５】
カラムは、作業命令、コンテンツ種類及び対象機器を含んで構成される。
【００６６】
ここで、作業命令には、視聴、聴取、ビュー、コピー、印刷及びスライドショーなどが含まれ、コンテンツ種類には動画、音楽及び写真などが含まれ、そして、対象機器には、居間ＴＶ、寝室ＴＶ、ＰＤＡ、ＤＶＤプレーヤー及びオーディオ機器などが含まれる。
【００６７】
ユーザによって作業命令の項目である視聴が選択されれば、判断部４３０は、コンテンツ種類及び対象機器の項目のうち視聴と関連した項目を決定し、ディスプレイ部を通じてそれらを活性化させる（７１０）。
【００６８】
ここで、視聴に関連したコンテンツ種類は動画であるので、コンテンツ種類カラムは動画のみを活性化させ、音楽及び写真は非活性化される。また、視聴に関連した対象機器は、居間ＴＶ、寝室ＴＶ、ＰＤＡ及びＤＶＤプレーヤーであるため、それらのみ活性化され、残りは非活性化される（７１０）。
【００６９】
ユーザは、活性化されたコンテンツ種類及び対象機器の項目のうち自分の所望のものを再び選択できるが、図面では、コンテンツ種類の動画が選択されたことを示す（７２０）。
【００７０】
コンテンツ種類の動画が選択されることによって、判断部は再び画面に活性化させるリストを決定するが、作業命令が視聴であり、コンテンツ種類が動画であることに関連した対象機器は居間ＴＶ及び寝室ＴＶであるため、それらのみ活性化させ、残りは非活性化させる（７２０）。
【００７１】
前述したように、判断部４３０によるカラムの項目活性化如何の判断は、各カラムの項目の特性によって他のカラムの項目がマッチングされて予め保存されたテーブルを利用することもでき、選択命令の受信時に各対象機器から収集された作業命令及びコンテンツ種類についての情報を利用して、他のカラムの項目に対する活性化如何を決定することもできる。
【００７２】
したがって、図面のように、ＤＶＤプレーヤーは、視聴及び動画に対する対象機器としてマッチングされて保存されていないことが分かり、それは、ユーザにより再設定されることもある。
【００７３】
最後に、ユーザが対象機器の居間ＴＶを選択してあらゆるカラムに対する各項目が選択されれば（７３０）、対象コンテンツリストがディスプレイ部４４０を通じて出力されるが（７４０）、ユーザは、自分の所望のコンテンツに対し、対象機器を通じて作業命令を行える。図面で、再生は作業命令の実行を意味し、取消は前段階への移動を意味し、終了は、サービス利用の中断を意味する。
【００７４】
図８は、図７の実施形態によって、対象機器に伝えられる命令メッセージを示す図面であり、対象機器、作業命令、コンテンツ種類及び対象コンテンツのリストが表示されており、コピーのような過程がないので、ソース機器フィールドが空いていることを示す。
【００７５】
図９は、本発明の他の実施形態による複数のカラムで構成されたグラフィックユーザインターフェースを示す図面である。
【００７６】
ユーザは、自分の好みに合うカラムの項目順序を決定できるが、図９は、コンテンツ種類、作業命令及び対象機器の順に選択することを示す。ユーザがコンテンツ種類の項目である音楽を選択すれば、判断部４３０は、音楽に関連した作業命令である聴取及びコピーを活性化させ、音楽に関連した対象機器である居間ＴＶ、寝室ＴＶ、ＰＤＡ及びオーディオ機器を活性化させる（９１０）。
【００７７】
そして、ユーザが作業命令の項目である聴取を選択すれば、判断部４３０は、関連した対象機器の項目を活性化させるが、図面では、音楽及び聴取に関連した対象機器の項目が、音楽に対する対象機器の項目と同一であるので、何の変化もないことを示す（９２０）。
【００７８】
そして、ユーザが対象機器の項目であるオーディオ機器を選択すれば、対象機器を通じて聴取できる音楽のリストが画面に出力される（９３０）。
【００７９】
例えば、対象機器がＰＣである場合、ＰＣに保存されている音楽のリストが画面に出力され、対象機器がオーディオ機器である場合、現在挿入されたテープ、ＬＰまたはＣＤの音楽リストが画面に出力されることになる。
【００８０】
次いで、ユーザは、画面に表示された音楽を選択して聴取できる（９４０）。
【００８１】
図１０は、図９の実施形態によって対象機器に伝えられる命令メッセージを示す図面であり、対象機器、作業命令、コンテンツ種類及び対象コンテンツのリストが表示されており、コピーのような過程がないので、ソース機器フィールドが空いていることを示す。
【００８２】
図１１は、本発明の他の実施形態による複数のカラムで構成されたグラフィックユーザインターフェースを示す図面である。
【００８３】
ユーザが、特定対象機器（ソース機器）に保存されているコンテンツを他の対象機器にコピーするためにコピーを選択すれば、コピーと関連したコンテンツ種類、ソース機器及び対象機器が活性化される（１１１０）。
【００８４】
ソース機器カラムは一般的にコピー過程のみに使われるので、普段は画面に出力されず、コピー選択時のみに画面に出力されることが望ましい。
【００８５】
そして、ユーザがコンテンツの種類を選択し（１１２０）、ソース機器及び対象機器を選択すれば（１１３０）、コンテンツのリストが画面に出力されるが、ユーザは自分の所望のコンテンツを選択してコピーを行える（１１４０）。
【００８６】
図１２は、図１１の実施形態によってソース機器及び対象機器に伝えられる命令メッセージを示す図面であり、ソース機器、対象機器、作業命令、コンテンツ種類及び対象コンテンツのリストが表示されている。
【００８７】
ソース機器及び対象機器は、明示された機器が自身であることを確認し、対象コンテンツリストに明示されたコンテンツに対するコピーを行う。
【００８８】
図１３は、本発明の他の実施形態による複数のカラムで構成されたグラフィックユーザインターフェースを示す図面である。
【００８９】
ユーザは、対象機器の動作状態が分からない状況でも、対象機器によって、自分の所望のコンテンツの種類に対する作業命令を行わせることができる。換言すれば、温度というコンテンツの種類に対して２℃増加という作業命令を対象機器に伝達すれば、温度と関連したクーラー及びヒーターが自身の動作状態によって温度を２℃増加するための作業を行うことである。
【００９０】
ユーザは、まず作業命令の増加を選択し（１３１０）、コンテンツの種類は温度を選択する（１３２０）。そして、その増減量である大きさを選択すれば（１３３０）、それに対する命令メッセージがクーラー及びヒーターに伝送されることである。
【００９１】
図１４は、図１３の実施形態によって対象機器に伝えられる命令メッセージを示す図面であり、対象機器、作業命令、コンテンツ種類及び対象コンテンツのリストが表示されており、コピーのような過程がないので、ソース機器フィールドが空いていることを示す。対象機器には、図面のように、複数の対象機器が明示されて伝送されることもあり、一つの対象機器が明示された命令メッセージがそれぞれ伝送されることもある。
【００９２】
図１５は、本発明の実施形態による各カラムの項目の特性によって他のカラムの項目がマッチングされて保存されたテーブルを示す図面である。
【００９３】
テーブルは、各カラムの項目の特性によって他のカラムの項目がマッチングされた別途のテーブルであって、保存部４１０に保存されることが望ましい。
【００９４】
したがって、作業命令に対するテーブル１５１０には、作業命令の各項目と関連したコンテンツ種類及び対象機器の項目が含まれ、コンテンツ種類に対するテーブル１５２０には、コンテンツ種類の各項目と関連した作業命令及び対象機器の項目が含まれ、対象機器に対するテーブル１５３０には、対象機器の各項目と関連した作業命令及びコンテンツ種類の項目が含まれることが望ましい。
【００９５】
カラムの種類及び数はその具現方式によって変わるが、例えば、動画を視聴しようとする場合、ユーザはＰＣの動画ファイルを居間のＴＶを通じて視聴しようとするときもある。この時、対象機器として一つの対象機器のみを選択可能にすれば、ＰＣの動画ファイルを居間のＴＶを通じて視聴できなくなる。
【００９６】
したがって、二つ以上の機器によって作業が行われる場合のために、特定作業命令またはコンテンツ種類に対しては、二つ以上の対象機器を選択可能にすることが望ましく、それを拡張して、特定作業命令、コンテンツ種類または対象機器に対しては、二つ以上の他のカラムの項目を選択可能にすることが望ましい。
【００９７】
以上、添付図を参照して本発明の実施例を説明したが、本発明が属する技術分野で当業者ならば本発明がその技術的思想や必須特徴を変更せずとも他の具体的な形に実施されうるということが理解できるであろう。したがって、前述した実施例は全ての面で例示的なものであって、限定的なものではないと理解せねばならない。
【産業上の利用可能性】
【００９８】
本発明は、複数のカラムで構成されたグラフィックユーザインターフェースを提供する装置の関連技術分野に好適に用いられる。
【図面の簡単な説明】
【００９９】
【図１】デジタル情報家電の進化を示す図面である。
【図２】従来の機器中心のホームネットワークユーザインターフェースを示す図面である。
【図３】従来のコンテンツ中心のホームネットワークユーザインターフェースを示す図面である。
【図４】本発明の実施形態による複数のカラムで構成されたグラフィックユーザインターフェースを提供する装置を示すブロック図である。
【図５】本発明の実施形態による複数のカラムで構成されたグラフィックユーザインターフェースを提供する過程を示すフローチャートである。
【図６】本発明の実施形態による項目選択に従って対象機器に伝えられる命令メッセージを示す図面である。
【図７】本発明の実施形態による複数のカラムで構成されたグラフィックユーザインターフェースを示す図面である。
【図８】図７の実施形態によって対象機器に伝えられる命令メッセージを示す図面である。
【図９】本発明の他の実施形態による複数のカラムで構成されたグラフィックユーザインターフェースを示す図面である。
【図１０】図９の実施形態によって対象機器に伝えられる命令メッセージを示す図面である。
【図１１】本発明の他の実施形態による複数のカラムで構成されたグラフィックユーザインターフェースを示す図面である。
【図１２】図１１の実施形態によってソース機器及び対象機器に伝えられる命令メッセージを示す図面である。
【図１３】本発明の他の実施形態による複数のカラムで構成されたグラフィックユーザインターフェースを示す図面である。
【図１４】図１３の実施形態によって対象機器に伝えられる命令メッセージを示す図面である。
【図１５】本発明の実施形態による、各カラムの項目の特性によって他のカラムの項目がマッチングされて保存されたテーブルを示す図面である。
【符号の説明】
【０１００】
４１０    保存部
４２０    命令受信部
４３０    判断部
４４０    ディスプレイ部
４５０    送受信部
【図４】
2006190267.tif 000003
【図５】
2006190267.tif 000004
【図６】
2006190267.tif 000005
【図８】
2006190267.tif 000006
【図１０】
2006190267.tif 000007
【図１２】
2006190267.tif 000008
【図１４】
2006190267.tif 000009
【図１５】
2006190267.tif 000010
【図１】
2006190267.tif 000011
【図２】
2006190267.tif 000012
【図３】
2006190267.tif 000013
【図７】
2006190267.tif 000014
【図９】
2006190267.tif 000015
【図１１】
2006190267.tif 000016
【図１３】
2006190267.tif 000017